(57)【特許請求の範囲】
【請求項１】
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記第１の信号処理回路で抽出されたセクタデータ、又は上記フォーマット変換器による上記変換後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とするディジタルデータ再生装置。
【請求項２】
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記変換後のフォーマットのセクタデータに誤り訂正符号を付加する符号化回路と、
上記第１の信号処理回路で抽出されたセクタデータ、又は上記誤り訂正符号付加後のセクタデータと上記クロック生成回路で生成された上記クロックとに対してディジタル信号処理を行って必要なデータを取り出すＣＤ−ＲＯＭデコーダを含む第３の信号処理回路と
上記符号化回路にて付加された誤り訂正符号を用いて誤り訂正を行う誤り訂正回路と
を備えたことを特徴とするディジタルデータ再生装置。
【請求項３】
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
識別情報を付加する付加回路と、
上記第１の信号処理回路で抽出されたセクタデータ、又は上記識別情報付加後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とするディジタルデータ再生装置。
【請求項４】
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出されたデータに対して、そのフォーマットに応じて誤り訂正を行う誤り訂正回路と、
上記誤り訂正回路によって誤り訂正を受けた上記ＤＶＤのセクタを構成するデータを上記ＣＤ−ＲＯＭのセクタフォーマットに対応するように変換するフォーマット変換器と、
このフォーマット変換の際に、上記誤り訂正回路の誤り訂正結果を付加する付加回路と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記第１の信号処理回路で抽出されたセクタデータ、又は上記誤り訂正結果付加後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とするディジタルデータ再生装置。
【請求項５】
上記フォーマット変換器は、上記ＤＶＤのセクタを構成するデータのうちのＩＤを上記ＣＤ−ＲＯＭのフォーマットのデータのヘッダに、上記ＤＶＤのセクタを構成するデータのうちのＩＥＣとＲＳＶを上記ＣＤ−ＲＯＭのフォーマットのデータのサブヘッダに、上記ＤＶＤのセクタを構成するデータのうちのメインデータを上記ＣＤ−ＲＯＭのフォーマットのデータのユーザデータに、上記ＤＶＤデータのＥＤＣを上記ＣＤ−ＲＯＭデータのＥＤＣにそれぞれ対応付け、さらに上記ＤＶＤのセクタを構成するデータの先頭に上記ＣＤ−ＲＯＭのフォーマットのデータの同期信号を付加し、上記ＤＶＤのセクタの後に上記ＣＤ−ＲＯＭのフォーマットのデータのＥＣＣの代わりのダミーデータを付加することにより、擬似的にＣＤ−ＲＯＭの１セクタへの変換を行なう
ことを特徴とする請求項１乃至４のいずれかに記載のディジタルデータ再生装置。
【発明の詳細な説明】
【０００１】
【発明の属する技術分野】
この発明は、複数種の異なるフォーマットで記録された複数種の記録媒体を再生するディジタルデータ再生装置に関するものである。
【０００２】
【従来の技術】
現在、コンピュータその他の情報処理機器の外部データ記録媒体の一つとして、ＣＤ−ＲＯＭディスクが使用されているが、今後、新しい記録媒体としてＤＶＤ−ＲＯＭディスク等が登場してくる。図９に従来のＣＤ−ＲＯＭ再生装置のブロック図を示す。図に示すように、ＣＤ−ＲＯＭディスクより読み出されたデータは、ＣＤ−ＤＳＰによりＣＤ用のディジタル信号処理が施され、２３５２バイトのセクタデータが抽出される。そして、データ処理回路にてこのセクタデータに対してデータ処理を施した後、必要なデータをコンピュータに出力する。
【０００３】
一方、図１０に従来のＤＶＤ−ＲＯＭ再生装置のブロック図を示す。図に示すように、ＤＶＤ−ＲＯＭディスクより読み出されたデータは、８／１６復調及びデインターリーブ回路によりディジタル復調及びデインターリーブが施されてＥＣＣブロックデータが抽出され、誤り訂正及びデスクランブル回路にて誤り訂正及びデスクランブルが施されて、２０６４バイトのセクタデータが抽出される。そして、データ処理回路にてセクタデータに対し、データ処理を施して必要なデータをコンピュータに出力するように構成されている。以上述べたように、これら光ディスク装置は、フォーマット及び動作クロックが異なる。従って、一つの装置で両方のディスクを再生することが困難であった。
【０００４】
このように、ＣＤ−ＲＯＭディスクとＤＶＤディスクの二つのディスクを再生する装置を実現するためには、２つの信号処理装置が必要となるが、ここで、両ディスクがセクタデータを単位として構成されるため、セクタデータ検出後のコンピュータとのインターフェースをとる部分を含むデータ処理回路部分を共通化できるように構成することにより、装置の回路規模の縮小化を行うことが必要と考えた。
【０００５】
【発明が解決しようとする課題】
この発明の目的は、複数種の夫々異なるフォーマットで記録された複数種の記録媒体を再生できるディジタルデータ再生装置を得ることである。
【０００６】
【課題を解決するための手段】
請求項１の発明に係るディジタルデータ再生装置は、
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記第１の信号処理回路で抽出されたセクタデータ、又は上記フォーマット変換器による上記変換後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とする。
【０００７】
また、請求項２の発明に係るディジタルデータ再生装置は、
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記変換後のフォーマットのセクタデータに誤り訂正符号を付加する符号化回路と、
上記第１の信号処理回路で抽出されたセクタデータ、又は上記誤り訂正符号付加後のセクタデータと上記クロック生成回路で生成された上記クロックとに対してディジタル信号処理を行って必要なデータを取り出すＣＤ−ＲＯＭデコーダを含む第３の信号処理回路と
上記符号化回路にて付加された誤り訂正符号を用いて誤り訂正を行う誤り訂正回路と
を備えたことを特徴とする。
【０００８】
また、請求項３の発明に係るディジタルデータ再生装置は、
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出された上記ＤＶＤのセクタを構成するデータを上記ＣＤ−ＲＯＭのセクタフォーマットに対応するように変換するフォーマット変換器と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
識別情報を付加する付加回路と、
上記第１の信号処理回路で抽出されたセクタデータ、又は上記識別情報付加後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とする。
【０００９】
また、請求項４の発明に係るディジタルデータ再生装置は、
複数個のセクタデータより構成されるディジタル情報信号がＣＤ−ＲＯＭのフォーマットで記録された記録媒体と複数個のセクタデータより構成されるディジタル情報信号がＤＶＤのフォーマットで記録された記録媒体とを再生する装置において、
ＣＤ−ＲＯＭのフォーマットの記録媒体又はＤＶＤのフォーマットの記録媒体を再生する手段と、
上記再生する手段で再生されたＣＤ−ＲＯＭのフォーマットの記録媒体からのセクタデータを上記ＣＤ−ＲＯＭのフォーマットに応じて抽出する第１の信号処理回路と、
上記再生する手段で再生されたＤＶＤのフォーマットの記録媒体からのセクタデータを上記ＤＶＤのフォーマットに応じて抽出する第２の信号処理回路と、
上記第２の信号処理回路によって抽出されたデータに対して、そのフォーマットに応じて誤り訂正を行う誤り訂正回路と、
上記誤り訂正回路によって誤り訂正を受けた上記ＤＶＤのセクタを構成するデータを上記ＣＤ−ＲＯＭのセクタフォーマットに対応するように変換するフォーマット変換器と、
このフォーマット変換の際に、上記誤り訂正回路の誤り訂正結果を付加する付加回路と、
このフォーマット変換器による変換の際に、上記ＤＶＤのフォーマットのセクタデータに同期したクロックからＣＤ−ＲＯＭのフォーマットのセクタデータに同期したクロックを生成するクロック生成回路と、
上記第１の信号処理回路で抽出されたセクタデータ、又は上記誤り訂正結果付加後のセクタデータと上記クロック生成回路で生成された上記クロックとに対してディジタル信号処理を行って必要なデータを取り出すＣＤ−ＲＯＭデコーダを含む第３の信号処理回路と
を備えたことを特徴とする。
【００１６】
【発明の実施の形態】
実施の形態１．
以下、この発明をその実施の形態を示す図に基づいて具体的に説明する。
図１は、この発明の実施の形態１であるＣＤ−ＲＯＭ及びＤＶＤディスクを再生するディスク再生装置のブロック図である。図において、１はＣＤ−ＲＯＭディスクまたはＤＶＤディスク、２はディスク１から記録データを再生するピックアップ、３は位相検出により外部信号に同期したクロックを生成し、そのクロックで信号を取り出すＰＬＬ回路、４は読み出されたＣＤ−ＲＯＭ信号に対してＥＦＭ復調を施し、ディジタルビットストリームを取り出すＥＦＭ復調回路、５はＣＤ−ＲＯＭディジタルデータの誤りを訂正する誤り訂正回路、６は読み出されたＤＶＤ信号に対して８／１６復調を施し、ディジタルビットストリームを取り出す８／１６復調回路、７はＤＶＤディジタルデータの誤りを訂正する誤り訂正回路、８は誤り訂正されたＤＶＤディジタルデータに対してデスクランブル処理を施し、ＤＶＤのセクタデータにもどすデスクランブル回路、９はＤＶＤのセクタデータをＣＤ−ＲＯＭのフォーマットに変換するフォーマット変換器、１０はＣＤ−ＲＯＭのフォーマットに変換するために必要なイネーブル、及びＣＤ−ＲＯＭデータ出力と同期するクロックを生成するクロック生成器、１１は再生するディスクに合せて信号を選択するセレクタ、１２は入力されたセクタデータに所定の処理を施して必要なデータを取り出すＣＤ−ＲＯＭデコーダである。
【００１７】
次に動作について説明する。ＣＤ−ＲＯＭディスクまたはＤＶＤディスク１からピックアップ２により読み出した記録データをＰＬＬ回路３により同期化し、ＣＤ−ＲＯＭ信号の場合はＥＦＭ復調回路４にてＥＦＭ復調してディジタルビットストリームを取り出し、誤り訂正回路５にて復調したディジタルデータの誤りを訂正する。
【００１８】
また、ＤＶＤ信号の場合は８／１６復調回路６にて８／１６復調してディジタルビットストリームを取り出し、誤り訂正回路７にて復調したディジタルデータの誤りを訂正し、デスクランブル回路８にてスクランブルのかかったデータに対してデスクランブルを施してＤＶＤのセクタデータにもどす。そして、フォーマット変換器９にてＤＶＤのセクタデータをＣＤ−ＲＯＭのセクタデータにフォーマット変換する。このとき、クロック生成器１０にて変換に必要なイネーブル及びクロックを生成して変換データとともに出力する。セレクタ１１により再生ディスクに合ったデータを選択し、ＣＤ−ＲＯＭデコーダ１２にてＣＤ−ＲＯＭデータとしてデコードする。
【００１９】
ここで、ＤＶＤデータからＣＤ−ＲＯＭデータへの変換動作について説明する。ＤＶＤデータの１セクタの構成は、図２に示すように、ＩＤ−４バイト、ＩＥＣ−２バイト、ＲＳＶ−６バイト、メインデータ２０４８バイト、ＥＤＣ−４バイトの合計２０６４バイトで構成され、ＩＤの４バイトめによりスクランブルの初期値を定め、メインデータ２０４８バイトに対しスクランブルがかかっている。また、ＩＤからメインデータの２０６０バイトに対し４バイトの誤り検出符号ＥＤＣが付加されている。
【００２０】
一方、ＣＤ−ＲＯＭ／ＸＡデータのフォーム１の構成は、図３に示すように、同期信号（セクタシンク）１２バイト、ヘッダ４バイト、サブヘッダ８バイト、ユーザーデータ２０４８バイト、ＥＤＣ−４バイト、ＥＣＣ−２７６バイトの合計２３５２バイトで構成され、ヘッダからＥＣＣまでの２３４０バイトに対しスクランブルをかけることもできる。
【００２１】
上記のＤＶＤデータとＣＤ−ＲＯＭデータの間には、次のような関係がある。すなわち、ＤＶＤデータのＩＤをＣＤ−ＲＯＭデータのヘッダに、ＤＶＤデータのＩＥＣとＲＳＶをＣＤ−ＲＯＭデータのサブヘッダに、ＤＶＤデータのメインデータをＣＤ−ＲＯＭデータのユーザデータに、ＤＶＤデータのＥＤＣをＣＤ−ＲＯＭデータのＥＤＣにそれぞれ対応付けることにより、ＤＶＤデータ１セクタに対し、図４に示すように、先頭に１２バイトのＣＤ−ＲＯＭ同期信号（シンク）を付加し、後ろに２７６バイトのＥＣＣの代わりのダミーデータを付加することにより、擬似的にＣＤ−ＲＯＭの１セクタに変換できる。
【００２２】
また、データの伝送については、次のようにする。ＤＶＤデータストリームでは、前記１セクタのデータに対し、１６セクタ毎にＥＣＣが付加され、８／１６変調が施され、変調の際に同期信号が付加されるため、ディスクに記録される時の１セクタあたりのデータ量は、２４１８バイトである。したがって、このクロックに従ってＣＤ−ＲＯＭフォーマットのデータの伝送を行うために、図４に示すような２４１８バイト中２３５２バイト分のデータに同期し、残りの６６バイト分はマスクされたクロックの生成をクロック生成器１０にて行う。そして、データの伝送に際しては、奇数バイトと偶数バイトの入れ替えを行い、シリアルで出力する。
【００２３】
以上のように、実施の形態１によれば、ＤＶＤディスクを再生する場合には、ＤＶＤデータセクタをデコードした後ＣＤ−ＲＯＭフォーマットに変換するとともに、変換フォーマットに適応したクロックを生成してともに伝送し、その後の処理をＣＤ−ＲＯＭデコーダで行うようにしたので、ＣＤ−ＲＯＭディスクとＤＶＤディスクの両方の再生が可能となる。
【００２４】
実施の形態２．
図５は、この発明の実施の形態２であるＤＶＤディスクをＣＤ−ＲＯＭデコーダにて再生するディスク再生装置のブロック図である。図において、１はＤＶＤディスク、２１はＤＶＤディスク１から記録データを再生するピックアップ、及び位相検出により外部信号に同期したクロックを生成し、そのクロックで信号を取り出すＰＬＬ回路、２２は読み出されたＤＶＤ信号に対して８／１６復調を施し、ディジタルビットストリームを取り出す８／１６復調回路、２３はＤＶＤディジタルデータの誤りを訂正する誤り訂正回路、２４は誤り訂正されたＤＶＤディジタルデータに対してデスクランブルを施し、ＤＶＤのセクタデータにもどすデスクランブル回路、２５はＤＶＤのセクタデータをＣＤ−ＲＯＭのフォーマットに変換するフォーマット変換器、２６はＣＤ−ＲＯＭのフォーマットに変換するために必要なイネーブル、及びＣＤ−ＲＯＭデータ出力と同期するクロックを生成するクロック生成器、２７はフォーマット変換されたデータに対しＣＤ−ＲＯＭのフォーマットに準拠した誤り訂正符号を付加する誤り訂正符号化器、２８は入力されたＣＤ−ＲＯＭフォーマットのセクタデータに所定の処理を施して必要なデータを取り出すＣＤ−ＲＯＭデコーダである。
【００２５】
次に動作について説明する。ＤＶＤディスク１からピックアップ２１により読み出した記録データをＰＬＬ回路により同期化し、８／１６復調回路２２にて８／１６復調してディジタルビットストリームを取り出し、誤り訂正回路２３にて復調したディジタルデータの誤りを訂正し、デスクランブル回路２４にてスクランブルのかかったデータに対してデスクランブルを施し、ＤＶＤのセクタデータにもどす。そして、フォーマット変換器２５にてＤＶＤのセクタデータをＣＤ−ＲＯＭのセクタデータに変換する。このとき、クロック生成器２６にて変換に必要なイネーブル及びクロックを生成し、変換データとともに出力する。そして、誤り訂正符号化器２７にて変換データに対してＣＤ−ＲＯＭのフォーマットに準拠した誤り訂正符号を付加し、ＣＤ−ＲＯＭデコーダ２８に伝送する。ＣＤ−ＲＯＭデコーダ２８では伝送された変換データをＣＤ−ＲＯＭデータとしてデコードする。
【００２６】
ここで、誤り訂正符号化器２７の動作について説明する。実施の形態１にてＤＶＤデータからＣＤ−ＲＯＭデータへの変換について述べたが、ＤＶＤデータ１セクタに対し、先頭に１２バイトのＣＤ−ＲＯＭ同期信号を付加し、後ろに２７６バイトのＥＣＣの代わりのデータを付加した擬似的ＣＤ−ＲＯＭ変換データでは、ＤＶＤのデータをそのまま並べただけなので、ＣＤ−ＲＯＭデコーダ２８でデコードする場合、誤り検出及び訂正符号ＥＤＣとＥＣＣは正しいものではないため、誤りチェックに利用できない。そこで、誤り訂正符号化器２７にてＣＤ−ＲＯＭのフォーマットに準拠したＥＤＣあるいはＥＣＣを付加し、ＣＤ−ＲＯＭデコーダに伝送する。
【００２７】
以上のように、この実施の形態２は、ＤＶＤディスクを再生する場合、ＤＶＤデータセクタをデコードした後、ＣＤ−ＲＯＭフォーマットに変換するとともに、変換フォーマットに適応したクロックを生成し、さらに変換フォーマットに準拠した誤り訂正符号を付加して伝送し、その後の処理をＣＤ−ＲＯＭデコーダで行うようにしたので、ＣＤ−ＲＯＭデコーダへの伝送の際に伝送エラーが生じた場合に誤り訂正可能なＣＤ−ＲＯＭディスクとＤＶＤディスクの両方のディスクの再生が可能となる。
【００２８】
実施の形態３．
図６は、この発明の実施の形態３であるＡシステムのディスクをＢシステムのデコーダにて再生するディスク再生装置のブロック図である。図において、１はＡシステムのディスク、３１はディスク１から記録データを再生するピックアップ、及び位相検出により外部信号に同期したクロックを生成し、そのクロックで信号を取り出すＰＬＬ回路、３２は読み出されたＡシステム信号に対しディジタル復調を施し、取り出したディジタルビットストリームに対して誤り訂正等を施してセクタデータを抽出するＡシステム信号処理回路、３３は抽出されたＡシステムのセクタデータをＢシステムデコーダにてデコードするためにＢシステムのフォーマットに変換するフォーマット変換器、３４はＢシステムのフォーマットに変換するために必要なイネーブル、及びＢシステムデータと同期するクロックを生成するクロック生成器、３５は外部コントロール信号によりＡシステムとＢシステムを指定することにより、フォーマット変換及びクロック生成に必要な各パラメータ、識別情報等の設定、及び変換のコントロールを行うコントロール回路、３６はＢシステムのフォーマットのセクタデータに所定の処理を施して必要なデータを取り出すデコーダである。
【００２９】
次に動作について説明する。Ａシステムのディスク１からピックアップ３１により読み出した記録データをＰＬＬ回路により同期化し、Ａシステム信号処理回路３２にてディジタル復調を施して取り出したディジタルビットストリームに対し、誤り訂正等を施してセクタデータを抽出する。そして、フォーマット変換器３３にてＡシステムのセクタデータをＢシステムのフォーマットに変換するとともに、クロック生成器３４にて変換に必要なイネーブル及びクロックを生成し、変換データとともに出力する。このとき、外部コントロール信号にてＡシステムかＢシステムかの指定を行い、コントロール回路３５にてフォーマット変換及びクロック生成に必要な各パラメータ、識別情報等の設定及び変換のコントロールを行う。そして、Ｂシステムデコーダ３６にてＢシステムフォーマットのセクタデータに所定の処理を施し、必要なデータを取り出す。
【００３０】
ここで、コントロール回路３５の動作について説明する。実施の形態１では、ＤＶＤデータからＣＤ−ＲＯＭ／ＸＡデータへの変換について述べたが、ＣＤ−ＲＯＭデータのフォーマットには、図７に示すように、モード０、モード１、モード２、モード２フォーム１、モード２フォーム２等があり、それぞれ、サブヘッダの有無、ＥＣＣの有無が異なる。ところが、実施の形態１のように、ＤＶＤデータ１セクタに対し、先頭に１２バイトのＣＤ−ＲＯＭ同期信号（セクタシンク）を付加し、後ろに２７６バイト分のＥＣＣに代わりにのダミーデータを付加した擬似的ＣＤ−ＲＯＭ変換データでは、ＤＶＤデータをそのまま並べただけなので、ヘッダ、サブヘッダは意味をなさない。そこで、コントロール回路３５では、ＣＤ−ＲＯＭデコーダ３６でデコード可能な各種フォーマットに変換し、またその時のヘッダ及びサブヘッダに、そのフォーマットに従った適当な値を設定できるように、外部からのコントロール信号に従って入力システムと出力システムの設定を行うとともに、フォーマット変換及びクロック生成に必要な各パラメータ、ＩＤ等の設定及び変換のコントロールを行う。
【００３１】
以上のように、この実施の形態３では、外部から、ディスクのシステムとシステムデコーダを設定することにより、ディスク１より読み出したセクタ信号をシステムデコーダで対応可能なフォーマットに変換し、変換フォーマットに適応したクロックを生成するとともに、ヘッダ及びサブヘッダにそのフォーマットに従った適当な値を設定するようにし、その後の処理をシステムデコーダで行うようにしたので、システムデコーダでデコードする際にヘッダ、サブヘッダを利用したデコード処理が可能となる。
【００３２】
実施の形態４．
図８は、この発明の実施の形態４であるＣＤ−ＲＯＭディスク及びＤＶＤディスクを再生するディスク再生装置のブロック図である。図において、１はＣＤ−ＲＯＭディスクまたはＤＶＤディスク、４１はディスク１から記録データを再生するピックアップ、４２は位相検出により外部信号に同期したクロックを生成し、そのクロックで信号を取り出すＰＬＬ回路、４３は読み出されたＣＤ−ＲＯＭ信号に対してＥＦＭ復調を施し、ディジタルビットストリームを取り出すＥＦＭ復調回路、４４はＣＤ−ＲＯＭのディジタルデータの誤りを訂正する誤り訂正回路、４５は読み出されたＤＶＤ信号に対して８／１６復調を施し、ディジタルビットストリームを取り出す８／１６復調回路、４６はＤＶＤディジタルデータの誤りを訂正する誤り訂正回路、４７は誤り訂正されたＤＶＤディジタルデータに対してデスクランブル処理を施し、ＤＶＤのセクタデータにもどすデスクランブル回路及びデスクランブルされたデータのエラーチェックを行うＥＤＣ回路、４８はＤＶＤのセクタデータをＣＤ−ＲＯＭのフォーマットに変換するフォーマット変換器、４９はＣＤ−ＲＯＭのフォーマットに変換するために必要なイネーブル、及びＣＤ−ＲＯＭデータ出力と同期するクロックを生成するクロック生成器、５０はフォーマット変換されたデータに対して誤り訂正結果等の情報を付加する付加回路、５１は再生するディスクに合せて信号を選択するセレクタ、５２は入力されたセクタデータに所定の処理を施し、必要なデータを取り出すＣＤ−ＲＯＭデコーダである。
【００３３】
次に動作について説明する。ＣＤ−ＲＯＭディスクまたはＤＶＤディスク１からピックアップ４１により読み出した記録データをＰＬＬ回路４２により同期化し、ＣＤ−ＲＯＭ信号の場合はＥＦＭ復調回路４３にてＥＦＭ復調してディジタルビットストリームを取り出し、誤り訂正回路４４にて復調したディジタルデータの誤りを訂正する。
【００３４】
また、ＤＶＤ信号の場合は８／１６復調回路４５にて８／１６復調してディジタルビットストリームを取り出し、誤り訂正回路４６にて復調したディジタルデータの誤りを訂正し、デスクランブル回路及びＥＤＣ回路４７にてスクランブルのかかったデータに対してデスクランブルを施してＤＶＤのセクタデータにもどし、このセクタデータに対してエラーチェックをする。そして、フォーマット変換器４８にてＤＶＤのセクタデータをＣＤ−ＲＯＭのセクタデータにフォーマット変換する。このとき、クロック生成器４９にて変換に必要なイネーブル及びクロックを生成して変換データとともに出力する。このとき、付加回路５０により例えばＥＤＣによるエラーチェック結果等の情報を付加する。その後、セレクタ５１により再生ディスクに合ったデータを選択し、ＣＤ−ＲＯＭデコーダ５２にてＣＤ−ＲＯＭデータとしてデコードする。
【００３５】
ここで、ＤＶＤデータからＣＤ−ＲＯＭデータへの変換動作について説明する。ＤＶＤデータの１セクタの構成は、図２に示すように、ＩＤ−４バイト、ＩＥＣ−２バイト、ＲＳＶ−６バイト、メインデータ２０４８バイト、ＥＤＣ−４バイトの合計２０６４バイトで構成され、ＩＤの４バイトめによりスクランブルの初期値を定め、メインデータ２０４８バイトに対しスクランブルがかかっている。また、ＩＤからメインデータの２０６０バイトに対し４バイトの誤り検出符号ＥＤＣが付加されている。
【００３６】
一方、ＣＤ−ＲＯＭ／ＸＡデータのフォーム１の構成は、図３に示すように、同期信号１２バイト、ヘッダ４バイト、サブヘッダ８バイト、ユーザデータ２０４８バイト、ＥＤＣ−４バイト、ＥＣＣ−２７６バイトの合計２３５２バイトで構成され、ヘッダからＥＣＣまでの２３４０バイトに対しスクランブルをかけることもできる。
【００３７】
上記のＤＶＤデータとＣＤ−ＲＯＭデータの間には、次のような関係がある。すなわち、ＤＶＤデータのＩＤをＣＤ−ＲＯＭデータのヘッダに、ＤＶＤデータのＩＥＣとＲＳＶをＣＤ−ＲＯＭデータのサブヘッダに、ＤＶＤデータのメインデータをＣＤ−ＲＯＭデータのユーザデータに、ＤＶＤデータのＥＤＣをＣＤ−ＲＯＭデータのＥＤＣにそれぞれ対応付けることにより、ＤＶＤデータ１セクタに対し、図４に示すように、先頭に１２バイトのＣＤ−ＲＯＭ同期信号（シンク）を付加し、後ろに２７６バイトのＥＣＣの代わりのダミーデータを付加することにより、擬似的にＣＤ−ＲＯＭの１セクタに変換できる。
【００３８】
また、前記ＥＣＣ部分のダミーデータの部分に誤り訂正の結果等、有用な情報を付加して伝送する。
【００３９】
また、データの伝送については、次のようにする。ＤＶＤデータストリームでは、前記１セクタのデータに対し、１６セクタ毎にＥＣＣが付加され、８／１６変調が施され、変調の際に同期信号が付加されるため、ディスクに記録される時の１セクタあたりのデータ量は、２４１８バイトである。したがって、このクロックに従ってＣＤ−ＲＯＭフォーマットのデータの伝送を行うために、図４に示すような２４１８バイト中２３５２バイト分のデータに同期し、残りの６６バイト分はマスクされたクロックの生成をクロック生成器４９にて行う。そして、データの伝送に際しては、奇数バイトと偶数バイトの入れ替えを行い、シリアルで出力する。
【００４０】
以上のように、実施の形態４によれば、ＤＶＤディスクを再生する場合には、ＤＶＤデータセクタをデコードした後ＣＤ−ＲＯＭフォーマットに変換するとともに、フォーマット中に誤り訂正結果等の情報を付加した後、変換フォーマットに適応したクロックを生成してともに伝送し、その後の処理をＣＤ−ＲＯＭデコーダで行うようにしたので、ＣＤ−ＲＯＭディスクとＤＶＤディスクの両方の再生が可能となるとともに、ＤＶＤでの誤り処理結果を後段の信号処理で利用することができる。
【００４１】
なお、実施の形態１〜４において、フォーマット変換後のセクタデータは、シリアルデータとしてばかりでなく、リクエスト信号、アクノリッジ信号を用いてパラレルデータとして転送してもよい。
【００４２】
【発明の効果】
請求項１の発明に係るディジタルデータ再生装置によれば、ＣＤ−ＲＯＭのフォーマットで記録された記録媒体とＤＶＤのフォーマットで記録された記録媒体のいずれであっても再生可能であり、また、セクタデータ抽出やその後のバッファリング処理やパソコンあるいはＡＶ機器等へのインターフェース処理を行うＣＤ−ＲＯＭデコーダを含む第３の信号処理回路の部分を共通化できるという効果がある。
【００４３】
請求項２の発明に係るディジタルデータ再生装置によれば、請求項１について述べたのと同じ効果に加え、例えばフォーマット変換器までを夫々のフォーマットに準拠した専用ＬＳＩとし、第３の信号処理回路には汎用のＬＳＩチップを用いた場合、ＬＳＩチップ間の伝送中に発生した誤りに対して、強いシステムを構成できるという効果がある。
【００４４】
請求項３の発明に係るディジタルデータ再生装置によれば、請求項１について述べたのと同じ効果に加え、識別信号付加回路によってＤＶＤのＩＤ情報をＣＤ−ＲＯＭのヘッダ情報に変換できれば第３の信号処理回路から見れば、ＤＶＤディスクを再生した場合であっても全てＣＤ−ＲＯＭのセクタデータとして処理でき、また、ダミーデータとしている部分にどの種類のフォーマットのディスクを再生したか等を付加すれば、後段の第３の信号処理回路にてデータ管理がしやすくなるという効果がある。
【００４５】
請求項４の発明に係るディジタルデータ再生装置によれば、請求項１について述べたのと同じ効果に加え、フォーマット変換前の誤り訂正回路における誤り訂正結果を第３の信号処理回路にて利用でき、例えば、誤ったセクタデータの部分をもう一度再生させるリトライ動作の実行を第３の信号処理回路にて一括して判断させることができるという効果がある。
【図面の簡単な説明】
【図１】この発明の実施の形態１に係るディジタルデータ再生装置のブロック図である。
【図２】ＤＶＤデータの１セクタの構成を示す図である。
【図３】ＣＤ−ＲＯＭ／ＸＡデータのフォーム１の１セクタの構成を示す図である。
【図４】ＤＶＤデータをＣＤ−ＲＯＭデータにフォーマット変換する場合の１セクタの構成と適応するクロックのタイミングを示す図である。
【図５】この発明の実施の形態２に係るディジタルデータ再生装置のブロック図である。
【図６】この発明の実施の形態３に係るディジタルデータ再生装置のブロック図である。
【図７】ＣＤ−ＲＯＭの各種フォーマットの１セクタの構成を示す図である。
【図８】この発明の実施の形態４に係るディジタルデータ再生装置のブロック図である。
【図９】従来のＣＤ−ＲＯＭ再生装置のブロック図である。
【図１０】従来のＤＶＤ−ＲＯＭ再生装置のブロック図である。
【符号の説明】
１  ＤＶＤディスクまたはＣＤ−ＲＯＭディスク、２，４１  ピックアップ、
３，４２  ＰＬＬ回路、４，４３  ＥＦＭ復調回路、５，４４  誤り訂正回路、
６，２２，４５  ８／１６復調回路、７，２３，４６  誤り訂正回路、
８．２４，４７  デスクランブル回路、
９，２５，３３，４８  フォーマット変換器、
１０，２６，３４，４９  クロック生成器、１１，５１  セレクタ、
１２，２８，５２  ＣＤ−ＲＯＭデコーダ、２７  誤り訂正符号化器、
３１  ピックアップ／ＰＬＬ回路、３２  Ａシステム信号処理回路、
３５  コントロール回路、３６  Ｂシステムデコーダ、５０  付加回路。
【図１】
0003556054.tif 000002
【図２】
0003556054.tif 000003
【図３】
0003556054.tif 000004
【図４】
0003556054.tif 000005
【図５】
0003556054.tif 000006
【図６】
0003556054.tif 000007
【図７】
0003556054.tif 000008
【図８】
0003556054.tif 000009
【図９】
0003556054.tif 000010
【図１０】
0003556054.tif 000011